(57)【要約】【課題】  雨樋の配設長さの採寸を一人作業で容易に、かつ、正確に行うことができる巻尺用治具を提供する。【解決手段】  巻尺Ｂの目盛帯９端部９１を載置する巻尺載置板体１の一端部に、雨樋Ｃ端部１０を挿入する断面略コ字状の雨樋挿入溝体２を連設し、かつ、巻尺載置板体１の上面に着脱自在な巻尺押さえ板バネ片３を具設するとともに、雨樋挿入溝体２の内部に、昇降具５を介して昇降自在な雨樋押さえ部材４を具設してなる。【選択図】図１
2006064478.tif 000002
【特許請求の範囲】
【請求項１】
巻尺の目盛帯端部を載置する巻尺載置板体の一端部に、雨樋端部を挿入する断面略コ字状の雨樋挿入溝体を連設し、かつ、巻尺載置板体の上面に着脱自在な巻尺押さえ板バネ片を具設するとともに、雨樋挿入溝体の内部に、昇降具を介して昇降自在な雨樋押さえ部材を具設してなることを特徴とする巻尺用治具。
【請求項２】
雨樋押さえ部材の押さえ面に鋸歯状凹凸を形成してなる請求項１記載の巻尺用治具。
【請求項３】
昇降具が、面上に昇降用凸部を形成し、かつ、略９０度回動させて昇降用凸部によって雨樋押さえ部材を昇降させる板体よりなる請求項１または２記載の巻尺用治具。
【請求項４】
板体の側縁部に、回動位置を規制する位置決め片を突設してなる請求項３記載の巻尺用治具。
【請求項５】
巻尺載置板体の両側縁部に係止受部を形成するとともに、巻尺押さえ板バネ片の両側縁部に前記係止受部に係止する係止片を形成してなる請求項１ないし４いずれかに記載の巻尺用治具。
【発明の詳細な説明】
【技術分野】
【０００１】
本願発明は、雨樋を配設施工する際に使用する巻尺用治具に関するものである。
【背景技術】
【０００２】
従来、建物の軒先等に軒樋等の雨樋を配設施工する場合には、図９に例示したように、工場生産された一定長さの雨樋１０１を建物の軒先１０２等に沿って順次配設施工している。
【０００３】
他方、建物の軒先１０２等の長さは必ずしも一定長さの雨樋１０１の倍数ではないため、順次連設して配設施工する最後の雨樋１０１は、軒先１０２等における配設長さを、脚立１０３等に登って巻尺１０４の目盛帯１０５を押さえる施工者１０６と目盛帯１０５を読む他の施工者１０７が巻尺１０４にて採寸した後、配設長さに合わせて雨樋１０１を切断して配設施工している。
【０００４】
また、雨樋の長さを測定する巻尺として、巻尺の目盛帯端部に係止部を固着した雨樋用巻尺が知られている（たとえば、特許文献１参照）。
【特許文献１】実開平２−１４１８０３号公報
【発明の開示】
【発明が解決しようとする課題】
【０００５】
しかしながら、図９に例示した雨樋１０１の配設施工においては、軒先１０２等における最後の雨樋１０１の配設長さを巻尺１０４にて採寸する場合には、脚立１０３等に登った施工者１０６が軒先１０２等に既に取り付けられた雨樋１０１の長さ方向の端部に巻尺１０４の目盛帯１０５の先端を合わせて押さえ、他方、脚立１０３等に登った他の施工者１０７が巻尺１０４の所定位置の目盛帯１０５の目盛を読むことによって採寸が行われる。このように、雨樋１０１の配設施工における雨樋１０１の配設長さの採寸作業は、巻尺１０４の目盛帯１０５の先端を合わせて押さえる施工者１０６と、巻尺１０４の目盛帯１０５の目盛を読む施工者１０７の二人が同時に作業する煩雑な二人作業となり、かつ、採寸の正確さという点でも満足すべきものであるとは言い難いという問題があった。
【０００６】
また、特許文献１記載の雨樋用巻尺においては、係止部を雨樋端部に引っ掛けて巻尺の目盛帯を雨樋の長さ方向に引き出して、雨樋の長さを測定することはできるものの、雨樋の配設方向には引き出すことができないため、雨樋の配設長さを測定することはできないという問題があった。
【０００７】
本願発明は、上記従来の問題点を解消するためになされたものであり、雨樋の配設長さの採寸を一人作業で容易に、かつ、正確に行うことができる巻尺用治具を提供することを課題とするものである。
【課題を解決するための手段】
【０００８】
本願発明は、上記の課題を解決するものとして、第１には、巻尺の目盛帯端部を載置する巻尺載置板体の一端部に、雨樋端部を挿入する断面略コ字状の雨樋挿入溝体を連設し、かつ、巻尺載置板体の上面に着脱自在な巻尺押さえ板バネ片を具設するとともに、雨樋挿入溝体の内部に、昇降具を介して昇降自在な雨樋押さえ部材を具設してなることを特徴とする。
【０００９】
第２には、雨樋押さえ部材の押さえ面に鋸歯状凹凸を形成してなることを特徴とする。
【００１０】
第３には、昇降具が、面上に昇降用凸部を形成し、かつ、略９０度回動させて昇降用凸部によって雨樋押さえ部材を昇降させる板体よりなることを特徴とする。
【００１１】
第４には、板体の側縁部に、回動位置を規制する位置決め片を突設してなることを特徴とする。
【００１２】
そして、第５には、巻尺載置板体の両側縁部に係止受部を形成するとともに、巻尺押さえ板バネ片の両側縁部に前記係止受部に係止する係止片を形成してなることを特徴とする。
【発明の効果】
【００１３】
第１の発明によれば、雨樋の配設長さの採寸を一人作業で容易に、かつ、正確に行うことができる。
【００１４】
また、第２の発明によれば、上記第１の発明の効果に加えて、より安定に雨樋の端部を保持することができる。
【００１５】
第３の発明によれば、上記第１および第２の発明の効果に加えて、雨樋の端部の保持と開放をスムーズに行うことができる。
【００１６】
第４の発明によれば、上記第３の発明の効果に加えて、昇降具を回動させやすくするとともに、必要以上の回動を防止することができる。
【００１７】
そして、第５の発明によれば、上記第１から第４の発明の効果に加えて、巻尺の目盛帯をより確実に挟着保持することができる。
【発明を実施するための最良の形態】
【００１８】
本願発明は、上記のとおりの特徴をもつものであるが、以下に、添付した図面に沿って、本願発明の実施形態について詳細かつ具体的に説明する。
【００１９】
図１は、本願発明の巻尺用治具の一実施形態を例示した全体斜視図である。図２は、本願発明の巻尺用治具における雨樋押さえ部材を例示した図であり、（Ａ）は平面図、（Ｂ）は側面図、（Ｃ）は正面図である。図３は、本願発明の巻尺用治具における昇降具を例示した図であり、（Ａ）は平面図、（Ｂ）は側面図、（Ｃ）は正面図である。そして、図４は、本願発明の巻尺用治具における雨樋挿入溝体を連設した巻尺載置板体を例示した図であり、（Ａ）は平面図、（Ｂ）は側面図、（Ｃ）は背面図である。図５は、本願発明の巻尺用治具における巻尺押さえ板バネ片を例示した図であり、（Ａ）は平面図、（Ｂ）は側面図、（Ｃ）は正面図である。
【００２０】
図１に例示したとおり、本願発明の巻尺用治具Ａは、その主体として形成されている巻尺Ｂの目盛帯９の端部９１を載置する巻尺載置板体１の一端部に、雨樋Ｃの端部１０を挿入する断面略コ字状の雨樋挿入溝体２を連設している。そして、さらに、この巻尺載置板体１の上面に、着脱自在な巻尺押さえ板バネ片３を具設するとともに、雨樋挿入溝体２の内部に、昇降具５を介して昇降自在な雨樋押さえ部材４を具設してなることを特徴としている。このような構成とすることで、後述するように、雨樋Ｃの配設長さの採寸を一人作業で容易に、かつ、正確に行うことができる。なお、巻尺Ｂの目盛帯９は、伸張（引き出し）および収納が自在で、伸張状態である程度の剛性を有していることが好ましい。また、雨樋Ｃとしては、たとえば、軒樋や竪樋等各種の雨樋Ｃを対象にすることができる。このとき、たとえば、軒樋の場合には軒先に沿って、また、竪樋の場合には壁面に沿って、巻尺Ｂの目盛帯９を引き出して採寸作業を行うことができる。
【００２１】
図２（Ａ）（Ｂ）（Ｃ）は、雨樋押さえ部材４を例示したものである。この図２に沿って、雨樋押さえ部材４を説明すると、雨樋押さえ部材４の雨樋Ｃの端部１０と当接する押さえ面には、その全面、または、その一部に鋸歯状の凹凸を形成してもよい。たとえば、図２の例では、雨樋押さえ部材４の押さえ面の四隅を上方向に突設させるとともに、突設部上面に鋸歯状の凹凸を形成させて雨樋Ｃの端部１０の押さえ部４１としている。これによって、より安定に雨樋Ｃの端部１０を保持することができる。なお、前記押さえ面の少なくとも一部には、ゴム材やシリコン材等を貼着する等の滑り止め加工が施されていてもよい。このような滑り止め加工を施すことで、雨樋Ｃの端部１０を押さえる雨樋押さえ部材４は、ずれにくくなり、より安定に雨樋Ｃを保持することができる。また、雨樋押さえ部材４の中央の位置には、昇降具５と連結するための連結具６（後述）を挿通する連結孔７が設けられている。
【００２２】
一方、図３（Ａ）（Ｂ）（Ｃ）は、昇降具５を例示したものである。この図３に例示したとおり、本願発明の巻尺用治具Ａにおける昇降具５は、板体からなり、その表面上に昇降用の昇降用凸部５１が形成され、かつ、略９０度水平方向に回動自在としている。そして、雨樋押さえ部材４側である表面上に形成されている昇降用凸部５１は、昇降具５を回動した際に雨樋押さえ部材４を昇降させることができる。また、このとき、昇降用凸部５１が形成されていない面上には、支持用凸部５２が形成されていることで昇降具５を支持することができる。なお、この昇降具５の昇降用凸部５１や支持用凸部５２の形成位置や形成パターンは、雨樋押さえ部材４を昇降させることができるのであれば、特に制限されるものではない。また、その形状も、たとえば、球面状や傾斜面状等としてもよく、特に制限されるものではない。この昇降用凸部５１によって、雨樋Ｃの端部１０の保持と開放をスムーズに行うことができる。
【００２３】
さらに、昇降具５を水平方向に回動させて雨樋Ｃを保持する際に、昇降具５の両側縁部が雨樋挿入溝体下片２２の左右の両側縁部に当接し、それ以上の回動を阻止し、回動位置を規制するように位置決め片５３が形成されていることが好ましい。具体的には、この位置決め片５３は、一つまたは二つ、好ましくは両側に一つづつ、昇降具５の両側縁部を下方向に突設させて形成される。その形成位置としては、この図３の例では、昇降具５の隅部近傍で相互に対角的な位置関係で形成されている。このような形成位置で二つの位置決め片５３が形成されることで、昇降具５に手指を掛けやすくなり、昇降具５を回動させやすくなる。そして、この位置決め片５３によって、雨樋Ｃの端部１０の保持と開放をスムーズに行うことができ、昇降具５を回動させやすくするとともに、必要以上の回動を防止することができる。なお、この昇降具５においても、その中央の位置には連結具６（後述）を挿通する連結孔８が設けられている。
【００２４】
ついで、図４（Ａ）（Ｂ）（Ｃ）の例に沿って、雨樋挿入溝体２を連設した巻尺載置板体１を説明すると、巻尺載置板体１は板状に形成されているとともに、雨樋Ｃの端部１０を挟持して保持するために、雨樋挿入溝体上片２１と雨樋挿入溝体下片２２とから形成されている断面略コ字状の雨樋挿入溝体２が連設されている。この雨樋挿入溝体下片２２の中央には、図２および図３それぞれに例示した雨樋押さえ部材４と昇降具５を連結するための連結具６（後述）を挿通する挿通孔１２が設けられている。
【００２５】
また、この図４に例示したとおり、巻尺載置板体１の左右の両側縁部には、巻尺押さえ板バネ片３を確実に係止させるために凹状の係止受部１１が形成されている。そして、また、板体の略一半部を目盛帯９を載置する巻尺載置板体１とするとともに、略他半部の中央に二本の切り込みを入れ、切り込み間を下方に向かって略Ｌ字状に折り返して雨樋挿入溝体２を形成し、折り返し基部に段部１３を形成してもよい。このように段部１３を形成することによって、目盛帯９の端部９１に具備されている掛止片９２を簡単に掛止めることができる。
【００２６】
また、図５（Ａ）（Ｂ）（Ｃ）の例に沿って巻尺押さえ板バネ片３を説明すると、バネ性を有する板片よりなる巻尺押さえ板バネ片３の両側縁部には、図４にて例示した巻尺載置板体１の係止受部１１と対応した位置で、かつ、弾性的に係止することのできる係止片３１が一体に突出形成されている。つまり、巻尺載置板体１の上面に載置された目盛帯９は、図４に例示した巻尺載置板体１の係止受部１１に図５に例示した巻尺押さえ板バネ片３の係止片３１を係止させることで、スプリング効果が得られ、巻尺載置板体１と巻尺押さえ板バネ片３とで挟着して安定に保持することができる。このため、市販の巻尺Ｂは目盛帯９の幅が一般的に異なり、１０〜２５ｍｍ幅のものが汎用されているが、このような市販の巻尺Ｂでも本願発明の巻尺用治具Ａの巻尺載置板体１の幅内に収めることができるため、目盛帯９の幅を問わずに目盛帯９を簡単に、また、着脱自在に挟着して保持することができる。なお、係止片３１は前記係止受部１１に弾性的に係止させるためにその形状としては、たとえば、図５に例示したように、断面略Ｒ字状に形成してもよい。
【００２７】
図６は、図１の実施形態における雨樋の挿入前の状態を例示した図であり、（Ａ）は平面図、（Ｂ）は側面図、（Ｃ）は背面図を示している。図７は、図１の実施形態における雨樋の挿入完了の状態を例示した図であり、（Ａ）は平面図、（Ｂ）は側面図、（Ｃ）は背面図を示している。図８は、本願発明の巻尺用治具を用いた採寸作業を例示した斜視図である。
【００２８】
この図６（Ａ）（Ｂ）（Ｃ）に沿って説明すると、本願発明の巻尺用治具Ａは、まず図４に例示した巻尺載置板体１に、巻尺Ｂの目盛帯９の端部９１を載置し、図５に例示した巻尺押さえ板バネ片３を係止させることで、目盛帯９を確実に挟持して保持している。つぎに、図２および図３それぞれに例示した雨樋押さえ部材４および昇降具５を、巻尺載置板体１の挿通孔１２、雨樋押さえ部材４の連結孔７および昇降具５の連結孔８に、たとえば、リベット等の連結具６を挿通させて連結させている。なお、この雨樋押さえ部材４は、図６（Ａ）（Ｃ）に例示したように、雨樋挿入溝体２の長手方向に配置されており、また、図６（Ｂ）に例示したとおり、雨樋Ｃの端部１０が挿入できるように下降した状態で位置している。その一方で、昇降具５は、その一部が左右方向に雨樋挿入溝体２から突出した状態（直交状態）で位置している。
【００２９】
次に、図７（Ａ）（Ｂ）（Ｃ）に例示したとおり、目盛帯９は、図６に説明したと同様に巻尺載置板体１と巻尺押さえ板バネ片３とによって、挟着され保持されている。そして、雨樋Ｃを巻尺用治具Ａの雨樋挿入溝体２の奥まで確実に挿入し、挿入が完了した際には、雨樋Ｃの端部１０（正確には、端面１０ａ）は、目盛帯９の端部９１と当接する。このため、通常、目盛帯９に記載された目盛値「０」は、目盛帯９の端部９１に設定されていることが多いことを考慮すると、雨樋Ｃの端部１０（端面１０ａ）が目盛帯９の端部９１に位置することで、目盛値「０」と雨樋Ｃの端部１０（端面１０ａ）とが一致し、雨樋Ｃの配設長さの採寸作業を正確に行うことができる。そして、図６に例示した雨樋Ｃの挿入前の状態では、その一部が左右方向（直交方向）に雨樋挿入溝体２から突出した状態で位置していた昇降具５を角度略９０度回動させることで、雨樋押さえ部材４と同様に雨樋挿入溝体２の長手方向に沿わせた位置にするとともに、この昇降具５の回動によって、雨樋押さえ部材４は昇降具５の昇降用凸部５１によって押し上げられ、雨樋Ｃを保持する。つまり、雨樋Ｃの端部１０の表裏は、雨樋挿入溝体上片２１と雨樋押さえ部材４とで挟持され（クランプ部として機能する）、安定に保持される。なお、雨樋Ｃを開放するときは、昇降具５を保持するときの回動方向とは逆方向に回動させて緩めて、雨樋押さえ部材４を下降した状態に戻せばよい。
【００３０】
なお、雨樋Ｃの端部１０は、雨樋挿入溝体２を形成している雨樋挿入溝体上片２１と雨樋挿入溝体下片２２との間に挿入されている。また、多くの場合、掛止片９２は目盛帯９の端部９１に固着されているため、目盛帯９の掛止めと、目盛値「０」と雨樋Ｃの端部１０（端面１０ａ）とを一致させることが同時に実現できる。
【００３１】
そして、図８に例示したとおり、一人の施工者Ｄが脚立Ｅ等に登って、図１や図６、図７の例のように巻尺用治具Ａを雨樋Ｃの端部１０に取り付け、巻尺Ｂから目盛帯９を軒先に沿って引き出して、目盛を読むことが簡単にできる。
【００３２】
すなわち、本願発明の巻尺用治具Ａは、図１〜図７に例示したような構成とすることで、雨樋Ｃの配設長さの採寸を一人作業で容易に、かつ、正確に行うことができる。より詳しくは、本願発明の巻尺用治具Ａによって、市販の巻尺Ｂの目盛帯９でも簡単、かつ、着脱自在に保持することができるとともに、雨樋Ｃにも簡単、かつ、着脱自在に、しかも安定に保持させることができる。さらに加うるに、従来の二人の施工者による採寸作業において問題であった、目盛帯９を所定位置まで引き出す際の引き出し力によって、目盛帯９を保持している施工者の手から外れてしまった際に、再び目盛帯９を保持し直す等の作業を行わなければならないといった問題も解消することができる。
【００３３】
なお、図４（Ｃ）や図６（Ｃ）、図７（Ｃ）に例示したように、巻尺載置板体１の上面は、曲面状に形成されていてもよい。そして、このように曲面状に形成された巻尺載置板体１と対応するように、図５（Ｃ）や図６（Ｃ）、図７（Ｃ）に例示したように、巻尺押さえ板バネ片３の形状も曲面状とし、巻尺載置板体１と巻尺押さえ板バネ片３とを互いに目盛帯５を介して重合させることで、目盛帯９はこの曲面に沿って湾曲され、巻尺載置板体１と巻尺押さえ板バネ片３とにより確実に挟着して保持することができる。
【００３４】
もちろん、本願発明の巻尺用治具Ａは、以上の例示によって限定されるものではない。たとえば、巻尺押さえ板バネ片３の材質としては、ある程度の弾性と剛性を兼ね備えるものであれば特に制限されるものではなく、たとえば、各種の金属類等を使用することができる。また、雨樋押さえ部材４および昇降具５等についても、その材質は特に制限されるものではなく、たとえば、各種の金属類等を使用することができる。
【図面の簡単な説明】
【００３５】
【図１】本願発明の巻尺用治具の一実施形態を例示した全体斜視図である。
【図２】本願発明の巻尺用治具における雨樋押さえ部材を例示した図であり、（Ａ）は平面図、（Ｂ）は側面図、（Ｃ）は正面図である。
【図３】本願発明の巻尺用治具における昇降具を例示した図であり、（Ａ）は平面図、（Ｂ）は側面図、（Ｃ）は正面図である。
【図４】本願発明の巻尺用治具における雨樋挿入溝体を連設した巻尺載置板体を例示した図であり、（Ａ）は平面図、（Ｂ）は側面図、（Ｃ）は背面図である。
【図５】本願発明の巻尺用治具における巻尺押さえ板バネ片を例示した図であり、（Ａ）は平面図、（Ｂ）は側面図、（Ｃ）は正面図である。
【図６】図１の実施形態における雨樋の挿入前の状態を例示した図であり、（Ａ）は平面図、（Ｂ）は側面図、（Ｃ）は背面図を示している。
【図７】図１の実施形態における雨樋の挿入完了の状態を例示した図であり、（Ａ）は平面図、（Ｂ）は側面図、（Ｃ）は背面図を示している。
【図８】本願発明の巻尺用治具を用いた採寸作業を例示した斜視図である。
【図９】従来の巻尺を用いた採寸作業を例示した斜視図である。
【符号の説明】
【００３６】
Ａ  巻尺用治具
１  巻尺載置板体
１１  係止受部
１２  挿通孔
１３  段部
２  雨樋挿入溝体
２１  雨樋挿入溝体上片
２２  雨樋挿入溝体下片
３  巻尺押さえ板バネ片
３１  係止片
４  雨樋押さえ部材
４１  押さえ部
５  昇降具
５１  昇降用凸部
５２  支持用凸部
５３  位置決め片
６  連結具
７、８  連結孔
Ｂ  巻尺
９  目盛帯
９１  端部
９２  掛止片
Ｃ  雨樋
１０  端部
１０ａ  端面
Ｄ  施工者
Ｅ  脚立
１０１  雨樋
１０２  軒先
１０３  脚立
１０４  巻尺
１０５  目盛帯
１０６、１０７  施工者
【図１】
2006064478.tif 000003
【図２】
2006064478.tif 000004
【図３】
2006064478.tif 000005
【図４】
2006064478.tif 000006
【図５】
2006064478.tif 000007
【図６】
2006064478.tif 000008
【図７】
2006064478.tif 000009
【図８】
2006064478.tif 000010
【図９】
2006064478.tif 000011